(57)【要約】【課題】簡単な構成でアンテナ特性を良好にできるアンテナ内蔵式電子時計を提供すること。【解決手段】電波修正時計１は、外装ケース１００と、外部無線情報を受信するアンテナ２１と、アンテナ２１で受信された外部無線情報を処理する受信手段と、アンテナ２１および受信手段が内部に収納されるモジュール１０と、外装ケース１００およびモジュール１０との間に配置される中枠５とを備える。中枠５には、アンテナ２１と外装ケース１００との間に、外装ケース１００より透磁率が大きい磁性材料で構成された副磁路部材としてのアモルファス箔材５１Ａが設けられている。【選択図】図２
2012194094.tif 000002
【特許請求の範囲】
【請求項１】
金属製の外装ケースと、外部無線情報を受信するアンテナと、前記アンテナで受信された前記外部無線情報を処理する受信手段と、前記アンテナおよび前記受信手段が内部に収納されるモジュールと、前記外装ケースおよび前記モジュールの間に配置される中枠とを備え、
前記中枠において、前記アンテナと前記外装ケースとの間に位置する部分には、前記外装ケースより透磁率が大きい磁性材料で構成された副磁路部材が設けられている
ことを特徴とするアンテナ内蔵式電子時計。
【請求項２】
請求項１に記載のアンテナ内蔵式電子時計において、
前記副磁路部材は、前記中枠に埋め込まれているアモルファス箔材である
ことを特徴とするアンテナ内蔵式電子時計。
【請求項３】
請求項１または請求項２に記載のアンテナ内蔵式電子時計において、
前記中枠は、前記外装ケースおよび前記モジュールの間に配置された側面側中枠部と、前記外装ケースの裏蓋および前記モジュールの間に配置された裏面側中枠部とを備え、
前記裏面側中枠部には、前記アンテナと前記裏蓋との間に、前記磁性材料で構成された裏面側副磁路部材が設けられている
ことを特徴とするアンテナ内蔵式電子時計。
【請求項４】
請求項１または請求項２に記載のアンテナ内蔵式電子時計において、
このアンテナ内蔵式電子時計は、前記外装ケースの裏蓋および前記モジュールの間に配置される裏面側中枠をさらに備え、
前記裏面側中枠において、前記アンテナと前記外装ケースの裏蓋との間に位置する部分には、前記磁性材料で構成された裏面側副磁路部材が設けられている
ことを特徴とするアンテナ内蔵式電子時計。
【発明の詳細な説明】
【技術分野】
【０００１】
本発明は、アンテナにより外部無線情報を受信可能なアンテナ内蔵式電子時計に関する。
【背景技術】
【０００２】
従来、外部から時刻情報を有する外部無線情報をアンテナにて受信し、時刻修正などの処理を実施する電波修正時計などのアンテナ内蔵式電子時計が知られている。このようなアンテナ内蔵式電子時計では、金属製の時計ケースおよび金属製の裏蓋に対向してアンテナを配置すると、アンテナで発生する磁束により渦電流が発生し、アンテナの受信特性が悪化する問題がある。これに対して、渦電流による影響を軽減する構成が考えられている（例えば、特許文献１参照）。
【０００３】
特許文献１に記載の腕時計は、金属製の時計ケースおよび金属製の裏蓋を有する外装ケース内に、アンテナが収納された時計モジュールを収納する。そして、樹脂シートにアモルファスやフェライトなどの磁性材料が配合された磁性シートを、時計ケースの内周面および裏蓋の内面のアンテナに対向する面に貼り付ける構成が採られている。
【先行技術文献】
【特許文献】
【０００４】
【特許文献１】特開２００６−５３１５８号公報
【発明の概要】
【発明が解決しようとする課題】
【０００５】
ところで、特許文献１に記載のように、時計ケースの内周面および裏蓋の内面のアンテナに対向する面に磁性シートを設ける場合、磁性シートとアンテナとの距離は、時計モジュールおよび時計ケースのサイズや形状などに応じて決まってしまう。一方で、腕時計においては、生産効率の観点から、例えば男性用および女性用のように、時計ケースのサイズが異なる場合でも、共通の時計モジュールを用いることが求められている。そして、磁性シートとアンテナとの距離は、アンテナの受信性能の観点からは重要であり、例えば、時計ケースのサイズが異なる時計を製造する際に共通の時計モジュールを用いる場合には、アンテナの同調周波数を所望の値とするために、磁性シートをアンテナに対し最適な位置に配置することが求められる。しかし、特許文献１の腕時計においては、磁性シートの配置位置は時計モジュールおよび時計ケースのサイズや形状などにより制約されるため、磁性シートをアンテナに対し最適な位置に配置することが困難となる。そのため、時計ケースのサイズや形状などに応じて、時計モジュールの設計を変更することが必要となるという問題がある。
【０００６】
また、時計ケースの内周面および裏蓋の内面に磁性シートを設ける工程が別途に必要となることから、時計の組み立て性の点でも問題がある。
【０００７】
本発明は、上記のような問題に鑑みて、簡単な構成でアンテナ特性を良好にできるアンテナ内蔵式電子時計を提供することを目的とする。
【課題を解決するための手段】
【０００８】
本発明のアンテナ内蔵式電子時計は、金属製の外装ケースと、外部無線情報を受信するアンテナと、前記アンテナで受信された前記外部無線情報を処理する受信手段と、前記アンテナおよび前記受信手段が内部に収納されるモジュールと、前記外装ケースおよび前記モジュールの間に配置される中枠とを備え、前記中枠において、前記アンテナと前記外装ケースとの間に位置する部分には、前記外装ケースより透磁率が大きい磁性材料で構成された副磁路部材が設けられていることを特徴とする。
【０００９】
本発明では、金属製の外装ケースとアンテナ間に配置されている中枠に副磁路部材が設けられている。そして、この中枠は、通常は合成樹脂などで形成され、複雑な成形や副磁路部材との一体成形が可能である。そのため、本発明のように、中枠に副磁路部材を設ける場合に、中枠内であれば副磁路部材の配置を自由に設定できるので、副磁路部材をアンテナに対し最適な位置に配置することができる。そして、共通のモジュールを用いてサイズや形状などが異なる時計を製造する場合でも、中枠の厚さ寸法、幅寸法、平面形状などが異なっても、アンテナに対する副磁路部材の配置位置を共通化できるので、アンテナ特性を良好にできる。
また、本発明では、従前より時計の部品として用いられている中枠に副磁路部材を設けている。そのため、時計の組み立て時において、副磁路部材を外装ケースの内周面に貼り付けるような工程は必要なく、時計の組み立て性に優れている。また、新たな部品が不要で簡単に外装ケースとアンテナとの間に副磁路部材を配置できるため、副磁路部材を配置することで、時計が大型化したり、厚さ寸法が増大することを防止できる。
なお、副磁路部材とアンテナとの距離が僅かにでも変化すると、アンテナの同調周波数が変動し、受信性能が低下する。これに対し、本発明のように、中枠に副磁路部材を設ける場合には、アンテナと副磁路部材との距離を固定することができるため、アンテナの同調周波数は変動しない。
【００１０】
本発明のアンテナ内蔵式電子時計において、前記副磁路部材は、前記中枠に埋め込まれているアモルファス箔材であることが好ましい。
アモルファス箔材は、薄くしかも透磁率が高いため、このアモルファス箔材を副磁路部材として用いることにより、時計の更なる小型化や薄型化を図ることができる。また、このようにアモルファス箔材を中枠に埋め込むことにより、本発明のアンテナ内蔵式電子時計が落下した場合のように衝撃などが加わった場合でも、アモルファス箔材を中枠で保護できて強度をアップでき、耐衝撃性能も向上できる。
【００１１】
本発明のアンテナ内蔵式電子時計において、前記中枠は、前記外装ケースおよび前記モジュールの間に配置された側面側中枠部と、前記外装ケースの裏蓋および前記モジュールの間に配置された裏面側中枠部とを備え、前記裏面側中枠部には、前記アンテナと前記裏蓋との間に、前記磁性材料で構成された裏面側副磁路部材が設けられていることが好ましい。
【００１２】
ここで、裏面側副磁路部材は、前記副磁路部材と一体であってもよく、別体であってもよい。
本発明では、外装ケースの裏蓋およびモジュールとの間に配置された裏面側中枠部に、裏面側副磁路部材が設けられている。この裏面側副磁路部材により、外装ケースの裏蓋で発生する渦電流損失を低減することができる。
【００１３】
本発明のアンテナ内蔵式電子時計において、このアンテナ内蔵式電子時計は、前記外装ケースの裏蓋および前記モジュールの間に配置される裏面側中枠をさらに備え、前記裏面側中枠において、前記アンテナと前記外装ケースの裏蓋との間に位置する部分には、前記磁性材料で構成された裏面側副磁路部材が設けられていることが好ましい。
【００１４】
本発明では、前記中枠とは別体である裏面側中枠を設け、この裏面側中枠に裏面側副磁路部材を設けている。このような場合、前記中枠と一体に裏面側中枠部を設ける場合と比較して、部品の形状が単純であるために、中枠および裏面側中枠を容易に製造できる。
【図面の簡単な説明】
【００１５】
【図１】本発明の実施形態に係るアンテナ内蔵式電子時計としての電波修正時計の正面図。
【図２】前記実施形態の電波修正時計を裏蓋側からみた概略構成を示す平面図。
【図３】前記実施形態の電波修正時計の概略構成を示すブロック図。
【図４】前記実施形態の電波修正時計の受信回路部の構成を示すブロック図。
【図５】前記実施形態の電波修正時計の厚み方向に断面した際の概略側断面図。
【図６】前記実施形態の電波修正時計における中枠を示す平面図。
【図７】前記実施形態の電波修正時計における中枠の変形例を示す平面図。
【発明を実施するための形態】
【００１６】
以下、本発明に係る実施形態について、図面に基づいて説明する。
〔電波修正時計の構成〕
図１において、電波修正時計１は、時針１１、分針１２、秒針１３および文字板１４を備えた指針式時計（アナログ時計）であり、時刻情報を有する外部無線情報としての長波標準電波を受信して、受信した時刻情報に基づいて時針１１、分針１２および秒針１３の指示位置を補正可能な時計である。
この電波修正時計１は、時針１１、分針１２および秒針１３と、文字板１４と、ダイアルリング１５（図５参照）と、標準電波を受信するアンテナ２１、時針１１、分針１２および秒針１３の駆動を制御する各種構成が組み込まれたモジュール１０（図２参照）と、これらの時針１１、分針１２、秒針１３、文字板１４、モジュール１０などを内部に収納する外装ケース１００と、モジュール１０および外装ケース１００の間に配置される中枠５（図２および図５参照）とを備えている。
【００１７】
〔外装ケースの構成〕
先ず、電波修正時計１の外装ケース１００の構成について説明する。
外装ケース１００は、図２および図５に示すように、胴部としてのケーシング１１０と、ケーシング１１０の表面側に装着されたカバーガラス１２０と、ケーシング１１０の裏面（下端面）側に取り付けられた金属製の裏蓋１３０とを備えている。
【００１８】
ケーシング１１０は、例えばステンレス鋼、真鍮、チタンなどの金属材で構成されている。このケーシング１１０は、略円筒状に形成され、内周面が平面略円形に形成されている。
【００１９】
〔モジュールの構成〕
次に、電波修正時計１のモジュール１０の構成について説明する。
モジュール１０には、図２に示すように、受信ＩＣ８６、ＣＰＵ８７、基準振動子３１１（図３参照）などが取り付けられた図示略の回路基板、駆動手段４の一部を構成するモーター４１１，４２１や輪列、電力供給手段７を構成する高容量二次電源（二次電池）７２などの各構成部材が組み込まれている。さらに、モジュール１０には、外装ケース１００に近接する位置に外部無線情報としての電波を受信するアンテナ２１が組み込まれている。
モジュールに組み込まれる回路基板には、図３に示すように、アンテナ２１で受信した電波を処理する受信手段２と、駆動制御回路部３と、時針１１、分針１２および秒針１３を駆動する駆動手段４と、時刻をカウントするカウンター部６と、が各種回路構成として設けられている。
【００２０】
受信手段２は、コンデンサーなどで構成されてアンテナ２１で受信する電波に同調させる同調回路部２２と、アンテナ２１で受けた情報を処理する受信回路部２３と、受信回路部２３で処理された時刻データを記憶する時刻データ記憶回路部２４とを備えて構成されている。
【００２１】
同調回路部２２は、図４に示されるように、アンテナ２１に対して並列に接続された２つのコンデンサー２２Ａ，２２Ｂを備えて構成され、一方のコンデンサー２２Ｂはスイッチ２２Ｃを介してアンテナ２１に接続されている。
そして、駆動制御回路部３から出力される周波数切替え制御信号により、前記スイッチ２２Ｃをオンまたはオフすることで、アンテナ２１で受信する電波の周波数を切り替えるように構成されている。これにより、例えば、日本国内において、送信周波数４０ｋＨｚのおおたかどや山（東日本）の標準電波出力局と、送信周波数６０ｋＨｚのはがね山（西日本）の標準電波出力局とから出力されている２種類の周波数の長波標準電波を切り替えて受信することができるように構成されている。
【００２２】
受信回路部２３は、図４に示されるように、アンテナ２１によって受信された長波標準電波信号を増幅する増幅回路２３１と、増幅された長波標準電波信号から所望の周波数成分のみを抜き出すバンドパスフィルター２３２と、長波標準電波信号を平滑化し復調する復調回路２３３と、増幅回路２３１のゲインコントロールを行ない長波標準電波信号の受信レベルが一定になるように制御するＡＧＣ（Automatic Gain Control）回路２３４と、復調された長波標準電波信号をデコードして出力するデコード回路２３５とを備えて構成されている。
受信回路部２３で受信され信号処理された時刻データは、図３に示すように、時刻データ記憶回路部２４に出力されて記憶される。
受信回路部２３は、予め設定されたスケジュールや外部入力装置８による強制受信操作などによって、駆動制御回路部３から出力される受信制御信号に基づいて時刻情報の受信を開始する。
【００２３】
駆動制御回路部３には、図３に示されるように、パルス合成回路３１からのパルス信号が入力される。パルス合成回路３１は、水晶振動子などの基準振動子３１１からの基準パルスを分周してクロックパルスを生成し、また、基準パルスからパルス幅やタイミングの異なるパルス信号を発生させる。なお、この基準振動子３１１は、ＣＰＵ８７に接続されて、回路のクロック信号となるが、周波数が長波受信周波数に近く、アンテナ２１にノイズとして信号が混入する可能性があるため、アンテナ２１から離して配置されている。
【００２４】
駆動制御回路部３は、一秒に一回出力され秒針１３を駆動させる秒駆動パルス信号ＰＳ１と、一分間に一回出力され時針１１および分針１２を駆動させる時分駆動パルス信号ＰＳ２とを、秒駆動回路４１、時分駆動回路４２に出力して、時針１１、分針１２および秒針１３の駆動を制御する。すなわち、駆動回路４１，４２は、当該駆動回路４１、４２からのパルス信号によって駆動されるステッピングモーターからなる秒モーター４１１，時分モーター４２１を駆動し、これによりモーター４１１，４２１に接続された秒針１３と、分針１２および時針１１とを駆動する。そして、時針１１、分針１２、秒針１３、文字板、モーター４１１，４２１、駆動回路４１，４２によって時刻を表示する時刻表示手段が構成されている。なお、時刻表示手段としては、１つのモーターで、時針１１、分針１２、秒針１３を駆動するものでもよい。
【００２５】
カウンター部６は、秒をカウントする秒カウンター回路部６１と、時分をカウントする時分カウンター回路部６２とを備えて構成されている。
秒カウンター回路部６１は、秒位置カウンター６１１と、秒時刻カウンター６１２と、一致検出回路６１３とを備えて構成されている。秒位置カウンター６１１および秒時刻カウンター６１２はともに６０カウント、つまり１Ｈｚの信号が入力された場合には６０秒でループするカウンターである。秒位置カウンター６１１は、駆動制御回路部３から秒駆動回路４１に供給される駆動パルス信号（秒駆動パルス信号ＰＳ１）をカウントしている。つまり、秒針１３を駆動させる駆動パルス信号をカウントすることによって、秒針１３が示している秒針１３の位置をカウントしている。
秒時刻カウンター６１２は、通常は、駆動制御回路部３から出力される１Ｈｚの基準パルス信号（クロックパルス）をカウントする。また、受信手段２で時刻データを受信した場合には、この時刻データのうちの秒データに合わせてカウンター値が修正される。
【００２６】
同様に、時分カウンター回路部６２は、時分位置カウンター６２１と、時分時刻カウンター６２２と、一致検出回路６２３とを備えて構成されている。時分位置カウンター６２１および時分時刻カウンター６２２はともに２４時間分の信号が入力されるとループするカウンターである。時分位置カウンター６２１は、駆動制御回路部３から時分駆動回路４２に供給される駆動パルス信号（時分駆動パルス信号ＰＳ２）をカウントし、時針１１、分針１２が示している針の位置をカウントしている。
時分時刻カウンター６２２は、通常は、駆動制御回路部３から出力される１Ｈｚのパルス（クロックパルス）をカウントする（正確には１Ｈｚを６０回計数したところで１カウントとする）。また、受信手段２で時刻データを受信した場合には、この時刻データのうちの時分データに合わせてカウンター値が修正される。
【００２７】
一致検出回路６１３，６２３は、位置カウンター６１１，６２１と時刻カウンター６１２，６２２とのカウント値の一致を検出し、一致しているか否かを示す検出信号を駆動制御回路部３に出力する。
駆動制御回路部３は、一致検出回路６１３，６２３から不一致信号が入力されると、一致信号が入力されるまで駆動パルス信号ＰＳ１，ＰＳ２を出力し続ける。このため、通常運針時は、駆動制御回路部３から１Ｈｚの基準信号によって時刻カウンター６１２，６２２のカウンター値が変化して位置カウンター６１１，６２１と不一致となると、駆動パルス信号ＰＳ１，ＰＳ２が出力されて時針１１、分針１２および秒針１３が動くとともに、位置カウンター６１１，６２１が時刻カウンター６１２，６２２と一致することになり、この動作を繰り返すことで、通常の運針制御が行われる。
また、受信した時刻データで時刻カウンター６１２，６２２が修正されると、そのカウンター値に位置カウンター６１１，６２１のカウンター値が一致するまで、駆動パルス信号ＰＳ１，ＰＳ２が出力され続け、時針１１、分針１２、秒針１３が早送りされて正しい時刻に修正される。
【００２８】
電力供給手段７は、自動巻発電機や太陽電池（ソーラーパネル７４）などによって構成された発電装置７１と、発電装置７１で発電された電力を蓄電する高容量二次電源７２とを備えて構成されている。高容量二次電源７２は、リチウムイオン電池のような二次電池が利用できる。なお、電力供給手段７としては、銀電池などの一次電池を用いてもよい。また、高容量二次電源７２は、ステンレス製のケースで構成されており、アンテナ特性への影響を抑えるため、図２に示すように、モジュール１０内においてアンテナ２１から離れた時計の３時方向の位置に配置されている。
【００２９】
外部入力手段としての外部入力装置８は、リュウズ８１などを備え、受信動作や時刻合わせなどを行うために利用される。
【００３０】
アンテナ２１は、中枠５の内側面に略沿って時計の９時方向の位置に配置されている。
このアンテナ２１は、磁性体コア２１１およびこの磁性体コア２１１に巻かれたコイル２１２により構成されている。
磁性体コア２１１は、図５に示すように、断面が略正方形に形成されている。また、この磁性体コア２１１は、図２に示すように、コイル２１２が巻装される直線状のコイル巻部２１１Ｃと、コイル巻部２１１Ｃの両端側から外装ケース１００の胴部を構成するケーシング１１０に内周に沿う状態に突出するリード部２１１Ｄとを備えている。
【００３１】
この磁性体コア２１１は、例えば、コバルト系のアモルファス箔（例；Ｃｏ５０ｗｔ％以上のアモルファス箔）を型で打ち抜くか、エッチングで成形したものを１０〜３０枚程接着して重ね合わせ、焼鈍などの熱処理を行って磁気特性を安定化させたものである。すなわち、磁性体コア２１１は、平面状のアモルファス箔を時計の厚み方向に積層して構成されている。なお、磁性体コア２１１としては、積層アモルファス箔に限定されず、フェライトを用いてもよく、この場合には、型などで成形し、熱処理して製造すればよい。
【００３２】
コイル２１２は、長波標準電波（４０〜７７．５ｋＨｚ）を受信する場合は、１０ｍＨ程度のインダクタンス値が必要となる。このため、本実施形態では、コイル２１２として直径０．１μｍ程度のウレメット線を数百ターンほど巻いて構成している。そして、このコイル２１２は、磁性体コア２１１の一方の端部（第一コア端部２１１Ａ）から所定寸法となる第一コイル端部２１２Ａ、および磁性体コア２１１の他端部（第二コア端部２１１Ｂ）から所定寸法となる第二コイル端部２１２Ｂの間に亘るコイル巻部２１１Ｃに、磁性体コア２１１の長手方向を軸とした周方向に沿って周面に巻装されている。
【００３３】
また、アンテナ２１と受信ＩＣ８６とは２本の配線で接続されている。すなわち、コイル２１２をアンテナ端部から取り出して回路基板にはんだ付けすることにより、アンテナ２１と受信ＩＣ８６とは電気的に接続されている。これにより、アンテナ２１で受信された標準電波が受信手段２に出力可能となる。なお、前記電気的接続は、アンテナ２１にポリイミドなどからなるフレキシブル基板を取り付け、この基板を回路基板にねじ止めすることなどで行ってもよい。
【００３４】
〔中枠の構成〕
次に、電波修正時計１における中枠５の構成について説明する。
中枠５は、外装ケース１００およびモジュール１０との間に配置され、これらとは別体であり、合成樹脂からなる部品である。この中枠５は、円筒状であり、外装ケース１００およびモジュール１０との間に配置された側面側中枠部５Ａと、側面側中枠部５Ａの時計裏面側の端部から中心方向に向かって延出され、外装ケース１００の裏蓋１３０およびモジュール１０との間に配置された裏面側中枠部５Ｂとを有している。そして、図２および図５に示すように、この裏面側中枠部５Ｂは、時計の裏面から見た平面視において、アンテナ２１のコイル巻部２１１Ｃと重なる位置に配置されている。
この中枠５は、外装ケース１００の内周面に当接するように配置されているが、この中枠５の側面には、径方向に向かって外装ケース１００の内周面に当接する複数の突出部（図示せず）が形成されていてもよい。このような場合、これらの突出部は、外装ケース１００の内周面に沿って配置すればよい。
【００３５】
そして、この中枠５には、図５および図６に示すように、副磁路部材としてのアモルファス箔材５１Ａ，５１Ｂが埋め込まれている。具体的には、中枠５の側面側中枠部５Ａには、側面側アモルファス箔材５１Ａが埋め込まれている。なお、側面側アモルファス箔材５１Ａは、副磁路として機能するために、中枠５の側面側中枠部５Ａとアンテナ２１との間で、かつ、アンテナ２１に近接する位置に配置されている。また、中枠５の裏面側中枠部５Ｂには、裏面側副磁路部材としての裏面側アモルファス箔材５１Ｂが埋め込まれている。なお、裏面側アモルファス箔材５１Ｂは、時計の裏面から見た平面視において、アンテナ２１のコイル巻部２１１Ｃと重なる位置に配置されている。
【００３６】
また、このアモルファス箔材５１Ａ，５１Ｂとしては、例えばコバルト系アモルファス（Co-Fe-Ni-B-Si）などが挙げられる。このアモルファス箔材５１Ａ，５１Ｂは、例えばコバルト系アモルファス（Co-Fe-Ni-B-Si）の場合で比透磁率が２００００である。これに対して、外装ケース１００および裏蓋１３０として例えばステンレス鋼が用いられる場合、比透磁率は１．４、真鍮が用いられる場合の比透磁率は１．０、チタンが用いられる場合の比透磁率は１．０００１である。したがって、アモルファス箔材５１Ａ，５１Ｂの透磁率は、外装ケース１００および裏蓋１３０を構成する金属よりはるかに大きい値となる。
【００３７】
ここで、アンテナ２１にて電波が受信されると、一方のリード部２１１Ｄから他方のリード部２１１Ｄに向かって副磁路が形成され、磁束線が通過する。この時、アモルファス箔材５１Ａ，５１Ｂは、上記のように裏蓋を構成する金属よりはるかに大きい透磁率を有するため、磁束線は外装ケース１００および裏蓋１３０を通過せず、アモルファス箔材５１Ａ，５１Ｂ内部を通過（バイパス）する。そのため、外装ケース１００および裏蓋１３０を通過する磁束線が減少する。さらに、アモルファス箔材５１Ａ，５１Ｂは、外装ケース１００および裏蓋１３０を構成する金属よりも低導電性であり、このアモルファス箔材５１Ａ，５１Ｂに磁束線が通過することで、外装ケース１００または裏蓋１３０を磁束線が通過する場合に比べて、渦電流の発生が抑えられる。
【００３８】
さらに、このアモルファス箔材５１Ａ，５１Ｂにおけるアモルファスの異方性は、略長手方向、つまりアンテナ２１におけるコイル巻部２１１Ｃの長手軸方向と略平行となる状態に形成される。これには、例えば溶融されたアモルファス素材をローラーにより高速で一方向に引き伸ばすことによりアモルファス箔材５１Ａ，５１Ｂを形成することで、アモルファス箔材５１Ａ，５１Ｂに略一定となる異方性を持たせることが可能となる。そして、このように形成されたアモルファス箔材５１Ａ，５１Ｂをローラーの引き伸ばし方向とコイル巻部２１１Ｃとが略平行となるように中枠５に設ける。
このようにアモルファス箔材５１Ａ，５１Ｂが埋め込まれた中枠５は、例えばインサート成形によって製造することができる。
【００３９】
なお、この中枠５は、外装ケース１００のサイズによっては、図７に示すように、図６に示す中枠と比較して、外周面が大きいものであってもよい。このような場合、アンテナ２１に対する側面側アモルファス箔材５１Ａの配置位置を、図６に示す中枠の場合と同様にしておくことが好ましい。
【００４０】
〔電波修正時計の作用効果〕
このような本実施形態によれば、次の効果が得られる。
アモルファス箔材５１Ａ，５１Ｂとアンテナ２１との距離は、アンテナ２１の受信性能の観点からは重要であり、例えば、共通のモジュール１０を用いてサイズや形状などが異なる時計を製造する場合には、アンテナ２１の同調周波数を所望の値とするために、アモルファス箔材５１Ａ，５１Ｂをアンテナ２１に対し最適な位置に配置することが求められる。また、アモルファス箔材５１Ａ，５１Ｂがアンテナ２１に近接しすぎるとアンテナ２１に入るべき電波が少なくなり、受信性能が低下する。これに対し、
本実施形態では、外装ケース１００とアンテナ２１間に配置されている中枠５にアモルファス箔材５１Ａ，５１Ｂが設けられている。そして、この中枠５は、通常は合成樹脂などで形成され、複雑な成形やアモルファス箔材５１Ａ，５１Ｂとの一体成形が可能である。そのため、本実施形態のように、中枠５にアモルファス箔材５１Ａ，５１Ｂを設ける場合に、中枠５内であればアモルファス箔材５１Ａ，５１Ｂの配置を自由に設定できるので、アモルファス箔材５１Ａ，５１Ｂをアンテナ２１に対し最適な位置に配置することができる。そして、共通のモジュール１０を用いてサイズや形状などが異なる時計を製造する場合でも、中枠５の厚さ寸法、幅寸法、平面形状などが異なっても、図６および図７に示すように、アンテナ２１に対するアモルファス箔材５１Ａ，５１Ｂの配置位置を共通化できるので、アンテナ特性を良好にできる。
また、本実施形態では、従前より時計の部品として用いられている中枠５にアモルファス箔材５１Ａ，５１Ｂを設けている。そのため、新たな部品が不要で簡単に外装ケース１００とアンテナ２１との間にアモルファス箔材５１Ａ，５１Ｂを配置できるため、アモルファス箔材５１Ａ，５１Ｂを配置することで、時計が大型化したり、厚さ寸法が増大することを防止できる。
なお、アモルファス箔材５１Ａ，５１Ｂとアンテナ２１との距離が僅かにでも変化すると、アンテナ２１の同調周波数が変動し、受信性能が低下する。これに対し、本実施形態のように、中枠５にアモルファス箔材５１Ａ，５１Ｂを設ける場合には、アンテナ２１とアモルファス箔材５１Ａ，５１Ｂとの距離を固定することができるため、アンテナ２１の同調周波数は変動しない。
【００４１】
また、このアモルファス箔材５１Ａ，５１Ｂは、薄くしかも透磁率が高いため、このアモルファス箔材５１Ａ，５１Ｂを副磁路部材として用いることにより、時計の更なる小型化や薄型化を図ることができる。また、このようにアモルファス箔材５１Ａ，５１Ｂを中枠に埋め込むことにより、電波修正時計１が落下した場合のように衝撃などが加わった場合でも、アモルファス箔材５１Ａ，５１Ｂを中枠で保護できて強度をアップでき、耐衝撃性能も向上できる。
【００４２】
本実施形態では、外装ケース１００の裏蓋１３０およびモジュール１０との間に配置された裏面側中枠部５Ｂに、裏面側アモルファス箔材５１Ｂが設けられている。この裏面側アモルファス箔材５１Ｂにより、外装ケース１００の裏蓋１３０で発生する渦電流損失を低減することができる。
【００４３】
〔他の実施形態〕
なお、本発明は、前記実施形態に限定されるものではない。
すなわち、本発明は、主に特定の実施の形態に関して特に図示され、かつ、説明されているが、以上述べた実施の形態に対し、本発明の技術的思想および目的の範囲から逸脱することなく、形状、材質、数量、その他の詳細な構成において、当業者が様々な変形を加えることができる。
【００４４】
例えば、前記実施形態では、中枠５は、裏蓋１３０およびモジュール１０との間に配置された裏面側中枠部５Ｂを有していたが、これに限定されない。中枠５は、裏面側中枠部５Ｂを有さない円筒状の部材であってもよい。
また、前記実施形態では、中枠５の側面側中枠部５Ａには、側面側アモルファス箔材５１Ａを埋め込み、中枠５の裏面側中枠部５Ｂには、裏面側アモルファス箔材５１Ｂを埋め込んだが、これらのアモルファス箔材５１Ａ，５１Ｂは別体でなくてもよい。つまり、中枠５に一体となったアモルファス箔材を埋め込んでもよい。また、中枠５に埋め込む副磁路部材の数も限定されない。
さらに、中枠５の側面側中枠部５Ａにのみ、側面側アモルファス箔材５１Ａを埋め込んだ構成としてもよい。また、中枠５の裏面側中枠部５Ｂにのみ、裏面側アモルファス箔材５１Ｂを埋め込んだ構成としてもよい。
【００４５】
また、中枠５のサイズや外周形状は、外装ケース１００のサイズや内周形状に応じて適宜設定すればよく、限定されない。例えば、中枠５の外周形状は、丸型の他に、角型やバケット型であってもよい。
【００４６】
前記実施形態では、中枠５と一体に裏面側中枠部５Ｂを設けていたが、これに限定されない。例えば、電波修正時計１は、外装ケース１００の裏蓋１３０およびモジュール１０の間に配置される裏面側中枠（図示略）を更に備え、この裏面側中枠において、アンテナ２１と裏蓋１３０との間に位置する部分には、裏面側アモルファス箔材５１Ｂが設けられていてもよい。
このように、中枠５とは別体である裏面側中枠（図示略）を設ける場合、中枠５と一体に裏面側中枠部５Ｂを設ける場合と比較して、部品の形状が単純であるために、中枠５を容易に製造できる。なお、前記実施形態のように中枠５と一体に裏面側中枠部５Ｂを設ける場合には、中枠５とは別体である裏面側中枠を設ける場合と比較して、組み立て時の部品の数が少ないので、時計の組み立て性に優れている。
【００４７】
前記実施形態では、中枠５にアモルファス箔材５１Ａ，５１Ｂを埋め込む方法として、インサート成形を採用したが、これに限定されない。例えば、中枠５に予め凹部などを設けておき、この凹部に接着や印刷などの方法により、副磁路部材を設ける方法を採用してもよい。
【００４８】
前記実施形態では、副磁路部材としてアモルファス箔材を用いたが、これに限定されない。副磁路部材としては、フェライトシートなどの磁性箔体を用いてもよいし、アモルファス粉末に合成樹脂を混ぜて成形したものや、フェライトコアなどの磁性体を用いてもよい。ただし、アモルファス箔材やフェライトシートなどの磁性箔体を用いたほうが、厚さ寸法を小さくでき、かつ、磁気特性に優れている点で好ましい。
【００４９】
さらに、アンテナ２１によって受信する無線情報としては、時刻情報を含む長波標準電波に限定されない。例えば、アンテナ２１は、３００ＭＨｚ帯の微弱電波無線、４００ＭＨｚ帯の特定小電力無線、非接触ＩＣカードおよびキーレスエントリーなどに用いられる１３５ｋＨｚ帯の無線などの各種無線信号を受信するものでもよい。これらの無線を受信する場合には、長波標準電波に比べて周波数が高いため、コイル２１２のターン数は少なくてよく、アンテナ２１も小さくできる。
【００５０】
また、電波を用いた無線通信に限らず、電磁結合方式や電磁誘導方式などの他の無線通信方式を用いてもよい。なお、電磁結合や電磁誘導方式は、通信機器同士を近接させる必要があるが、ステンレスなどの非磁性体であれば金属部分でも透過して通信が可能なため、アンテナが内蔵されるケースをステンレスなどの金属製で構成できる利点がある。
【００５１】
さらに、前記アンテナ２１を用いて通信する無線情報としては、時刻情報に限らない。例えば、電波修正時計１内にＩＣカード機能を内蔵させ、電車の定期券や各種プリペイドＩＣカードのような情報を送受信するために利用してもよい。例えば、ケース内にＩＣチップとアンテナなどを組み込み、ＩＣカードを用いた改札機や入退室管理機、各種の課金支払機などに腕時計を近接させて情報をやり取りできるようにしてもよい。この場合、別途、ＩＣカードを出し入れする必要がなく、時計をはめた手を近付けるだけでよいため、操作性を非常に向上することができる。
従って、本発明のアンテナ内蔵式電子時計に内蔵されるアンテナ２１としては、標準電波を受信する場合のような受信専用に用いるものでもよいし、非接触ＩＣを用いたタグのように、情報を送受信するために用いてもよいし、さらには送信専用に用いてもよく、これらは本発明を適用する電子時計の種類に応じて適宜選択すればよい。
【符号の説明】
【００５２】
１…電波修正時計、２…受信手段、１０…モジュール、２１…アンテナ、１００…外装ケース、５…中枠、５Ａ…側面側中枠部、５Ｂ…裏面側中枠部、５１Ａ…側面側アモルファス箔材、５１Ｂ…裏面側アモルファス箔材、１３０…裏蓋。
【図１】
2012194094.tif 000003
【図２】
2012194094.tif 000004
【図３】
2012194094.tif 000005
【図４】
2012194094.tif 000006
【図５】
2012194094.tif 000007
【図６】
2012194094.tif 000008
【図７】
2012194094.tif 000009